(57)【要約】【課題】ジュースや調味料や酒類などを収容する、上面が平坦な又は上面が切妻屋根形の直方体状の、紙積層材料の切断端部が内容物に接していない液体用紙容器において、内容物の味覚を長期に保持する機能を付加した液体用紙容器及び液体用紙容器の製造方法を提供する。【解決手段】本発明は、少なくとも紙材料層３とバリヤー層４とシーラント層５とを積層した紙積層材料製の、上面板群２１  ，２２  ，２３  ，２４と側面板３１  ，３２  ，３３  ，３４と熱融着板３５と底面板群４１  ，４２  ，４３  ，４４とを連設して成る、上面が平坦な又は上面が切妻屋根形の直方体状の液体用紙容器において、シーラント層５の内容物に接する側に、無機蒸着層２を設けた液体用紙容器及び液体用紙容器の製造方法である。【選択図】図１
2004284666.tif 000002
【特許請求の範囲】
【請求項１】
少なくとも紙材料層３とバリヤー層４とシーラント層５とを積層した紙積層材料製の、上面板群２１  ，２２  ，２３  ，２４と側面板３１  ，３２  ，３３  ，３４と熱融着板３５と底面板群４１  ，４２  ，４３  ，４４とを、それぞれ折り目線又は谷折り線を介して連設して成る、上面が平坦な又は上面が切妻屋根形の直方体状の、紙積層材料の切断端部が内容物に接していない液体用紙容器において、シーラント層５の内容物に接する側に、無機蒸着層２を設けたことを特徴とする液体用紙容器。
【請求項２】
少なくとも紙材料層３とバリヤー層４とシーラント層５とを積層した紙積層材料製の、上面板群２１  ，２２  ，２３  ，２４と側面板３１  ，３２  ，３３  ，３４と熱融着板３５と底面板群４１  ，４２  ，４３  ，４４とを、それぞれ折り目線又は谷折り線を介して連設して成る、上面が平坦な又は上面が切妻屋根形の直方体状の、紙積層材料の切断端部が内容物に接していない液体用紙容器において、
全ての折り目線を山折りして、また全ての谷折り線を谷折りして、側面板３１  ，３２  ，３３  ，３４と熱融着板３５とを筒状に形成して、熱融着板３５の谷折りした右側部分と側面板３１の左端部分とのシーラント層５  ，５どうしを熱融着して、紙積層材料の切断端部が内容物に接していない角筒状に製箱した状態で、シーラント層５の内容物に接する側に、無機蒸着層２を設けた後に、底面板群４１  ，４２  ，４３  ，４４を平坦に折込んで、また上面板群２１  ，２２  ，２３  ，２４を平坦に又は切妻屋根状に折込んで、それぞれのシーラント層５  ，５どうしを熱融着して、上面が平坦な又は上面が切妻屋根形の直方体状に製箱したことを特徴とする液体用紙容器の製造方法。
【請求項３】
請求項２に記載の液体用紙容器の製造方法において、紙積層材料の切断端部が内容物に接していない角筒状に製箱した状態で、シーラント層５の内容物に接する側に、無機蒸着層２を、底面板群４１  ，４２  ，４３  ，４４と上面板群２１  ，２２  ，２３  ，２４との、熱融着する部分を除いてパターン状に設けたことを特徴とする液体用紙容器の製造方法。
【請求項４】
少なくとも紙材料層３とバリヤー層４とシーラント層５とを積層した紙積層材料製の、上面板群２１  ，２２  ，２３  ，２４と側面板３１  ，３２  ，３３  ，３４と熱融着板３５と底面板群４１  ，４２  ，４３  ，４４とを、それぞれ折り目線又は谷折り線を介して連設して成る、上面が平坦な又は上面が切妻屋根形の直方体状の、紙積層材料の切断端部が内容物に接していない液体用紙容器において、
全ての折り目線を山折りして、また全ての谷折り線を谷折りして、側面板３１  ，３２  ，３３  ，３４と熱融着板３５とを筒状に形成して、熱融着板３５の谷折りした右側部分と側面板３１の左端部分とのシーラント層５  ，５どうしを熱融着して、また底面板群４１  ，４２  ，４３  ，４４を平坦に折込んで、それぞれのシーラント層５  ，５どうしを熱融着して、紙積層材料の切断端部が内容物に接していない有底角筒状に製箱した状態で、シーラント層５の内容物に接する側に、無機蒸着層２を設けた後に、上面板群２１  ，２２  ，２３  ，２４を平坦に又は切妻屋根状に折込んで、それぞれのシーラント層５  ，５どうしを熱融着して、上面が平坦な又は上面が切妻屋根形の直方体状に製箱したことを特徴とする液体用紙容器の製造方法。
【請求項５】
請求項４に記載の液体用紙容器の製造方法において、紙積層材料の切断端部が内容物に接していない有底角筒状に製箱した状態で、シーラント層５の内容物に接する側に、無機蒸着層２を、上面板群２１  ，２２  ，２３  ，２４の、熱融着する部分を除いてパターン状に設けたことを特徴とする液体用紙容器の製造方法。
【発明の詳細な説明】
【０００１】
【発明の属する技術分野】
本発明は、ジュースや調味料や酒類などを収容する、上面が平坦な又は上面が切妻屋根形の直方体状の、紙積層材料の切断端部が内容物に接していない液体用紙容器において、シーラント層５の内容物に接する側に、シリカ（ＳｉＯＸ）やアルミナ（Ａｌ２ＯＸ）などの無機蒸着層２を設けて、内容物の味覚を長期に保持する機能を付加した液体用紙容器及び液体用紙容器の製造方法に関する。
【０００２】
【従来の技術】
従来から、例えば図５に示すような、ジュースや調味料や酒類などを収容する、表面に美麗な印刷をした適宜の紙材料層３と、アルミニウム箔やシリカ蒸着付のポリエチレンテレフタレート（ＰＥＴ）フィルムなどのバリヤー層４と、熱融着性が優れた低密度ポリエチレンなどのシーラント層５とを、適宜の接着剤層６  ，６を介するなどして積層した紙積層材料製の、上面板群２１  ，２２  ，２３  ，２４と側面板３１  ，３２  ，３３  ，３４と熱融着板３５と底面板群４１  ，４２  ，４３  ，４４とを、それぞれ折り目線（  符号がない１点鎖線、以下同じ  ）又は谷折り線（  符号がない破線、以下同じ  ）を介して連設して成る、図６Ａ  ，Ｂに示す上面が平坦な又は上面が切妻屋根形の直方体状の、紙積層材料の切断端部が内容物に接していない液体用紙容器が、一般に広く用いられている。
【０００３】
【発明が解決しようとする課題】
ところが従来の、図５  ，図６に示す液体用紙容器については、図５Ａに示す熱融着板３５の縦の谷折り線を谷折りして、熱融着板３５の谷折りした右側部分と側面板３１の左端部分とのシーラント層５  ，５どうしを熱融着して、紙積層材料の切断端部が内容物に接していない直方体状に製箱することによって、紙材料層３に内容物が浸透して漏れだす恐れがない、また紙材料層３の異物などが内容物に溶出する恐れがない、常温流通可能な優れた液体用紙容器であるものの、液体用紙容器の熱融着した部分以外の、熱融着性が優れた低密度ポリエチレンなどのシーラント層５が、収容したジュースや調味料や酒類などの内容物に接しているために、このシーラント層５に内容物の香気成分などが吸着する恐れがあって、またシーラント層５の樹脂臭などが内容物に移行する恐れがあって、内容物の味覚を長期に保持することができない液体用紙容器であった。
【０００４】
そこで、本発明の目的は、ジュースや調味料や酒類などを収容する、上面が平坦な又は上面が切妻屋根形の直方体状の、紙積層材料の切断端部が内容物に接していない液体用紙容器において、シーラント層５の内容物に接する側に、低吸着性であってガスバリヤー性などが優れたシリカやアルミナなどの無機蒸着層２を設けることによって、このシーラント層５に内容物の香気成分などが吸着する恐れがない、またシーラント層５の樹脂臭などが内容物に移行する恐れがない、内容物の味覚を長期に保持する機能を付加した液体用紙容器及び液体用紙容器の製造方法を提供することにある。
【０００５】
【課題を解決するための手段】
本発明の請求項１に記載の液体用紙容器は、図１  ，図２に示すように、少なくとも紙材料層３とバリヤー層４とシーラント層５とを積層した紙積層材料製の、上面板群２１  ，２２  ，２３  ，２４と側面板３１  ，３２  ，３３  ，３４と熱融着板３５と底面板群４１  ，４２  ，４３  ，４４とを、それぞれ折り目線又は谷折り線を介して連設して成る、図３Ａ  ，図４Ａに示す上面が平坦な又は上面が切妻屋根形の直方体状の、紙積層材料の切断端部が内容物に接していない液体用紙容器において、シーラント層５の内容物に接する側に、無機蒸着層２を設けたことを特徴とする液体用紙容器である。
【０００６】
本発明の液体用紙容器においては、ジュースや調味料や酒類などを収容する、少なくとも、表面に美麗な印刷をした適宜の紙材料層３と、アルミニウム箔やシリカ蒸着付のポリエチレンテレフタレート（ＰＥＴ）フィルムなどのバリヤー層４と、熱融着性が優れた低密度ポリエチレンなどのシーラント層５とを、適宜の接着剤層６  ，６を介するなどして積層した紙積層材料製の、上面が平坦な又は上面が切妻屋根形の直方体状の、紙積層材料の切断端部が内容物に接していないために、紙材料層３に内容物が浸透して漏れだす恐れがない、また紙材料層３の異物などが内容物に溶出する恐れがない、前述した従来と同様の液体用紙容器において、図１Ｂ  ，図２Ｂに示すように、シーラント層５の内容物に接する側に、低吸着性であってガスバリヤー性などが優れたシリカやアルミナなどの無機蒸着層２を設けたことによって、このシーラント層５に内容物の香気成分などが吸着する恐れがない、またシーラント層５の樹脂臭などが内容物に移行する恐れがない、しかもシーラント層５の内容物に接する側に設けた無機蒸着層２が、水や油やアルコールなどに不溶性であるために、収容したジュースや調味料や酒類などに影響を与える恐れがない、内容物の味覚を長期に保持する機能を付加した液体用紙容器を提供することができる。
【０００７】
本発明の請求項２に記載の液体用紙容器の製造方法は、図１  ，図２に示すように、少なくとも紙材料層３とバリヤー層４とシーラント層５とを積層した紙積層材料製の、上面板群２１  ，２２  ，２３  ，２４と側面板３１  ，３２  ，３３  ，３４と熱融着板３５と底面板群４１  ，４２  ，４３  ，４４とを、それぞれ折り目線又は谷折り線を介して連設して成る、図３Ａ  ，図４Ａに示す上面が平坦な又は上面が切妻屋根形の直方体状の、紙積層材料の切断端部が内容物に接していない液体用紙容器において、
全ての折り目線を山折りして、また全ての谷折り線を谷折りして、側面板３１  ，３２  ，３３  ，３４と熱融着板３５とを筒状に形成して、熱融着板３５の谷折りした右側部分と側面板３１の左端部分とのシーラント層５  ，５どうしを熱融着（  サイドシールと通称する  ）して、図３Ｂに示す紙積層材料の切断端部が内容物に接していない角筒状に製箱した状態で、シーラント層５の内容物に接する側に、無機蒸着層２を設けた後に、底面板群４１  ，４２  ，４３  ，４４を平坦に折込んで、また上面板群２１  ，２２  ，２３  ，２４を平坦に又は切妻屋根状に折込んで、それぞれのシーラント層５  ，５どうしを熱融着（  ボトムシール  ，トップシールと通称する  ）して、上面が平坦な又は上面が切妻屋根形の直方体状に製箱したことを特徴とする液体用紙容器の製造方法である。
【０００８】
本発明の液体用紙容器の製造方法においては、ジュースや調味料や酒類などを収容する、上面が平坦な又は上面が切妻屋根形の直方体状の、前述した従来と同様の液体用紙容器において、前述したサイドシールと通称する工程で、図３Ｂに示す紙積層材料の切断端部が内容物に接していない角筒状に製箱した状態で、シーラント層５の内容物に接する側に、シリカやアルミナなどの無機蒸着層２を設けた後に、前述したボトムシール  ，トップシールと通称する工程で、上面が平坦な又は上面が切妻屋根形の直方体状に製箱したことによって、
最も液漏れなどを起し易い液体用紙容器のサイドシール部分の、シリカやアルミナなどの無機蒸着層２を設ける前の、熱融着板３５の谷折りした右側部分と側面板３１の左端部分との、熱融着性が優れた低密度ポリエチレンなどのシーラント層５  ，５どうしの熱融着が完全で安定しているために、熱融着不良によるサイドシール部分の液漏れなどを防止することができる、加えて側面板３１  ，３２  ，３３  ，３４と熱融着板３５とを筒状に形成する作業で、低吸着性であってガスバリヤー性などが優れたシリカやアルミナなどの無機蒸着層２が、機械的に擦れて剥離脱落する恐れがない、しかも液体用紙容器のボトムシール  ，トップシール部分の、シリカやアルミナなどの無機蒸着層２を設けたシーラント層５  ，５どうしを、比較的強く熱融着することによって、この無機蒸着層２を破壊して、それぞれのシーラント層５  ，５どうしを完全に熱融着して、上面が平坦な又は上面が切妻屋根形の直方体状に製箱することができる、前述した内容物の味覚を長期に保持する機能を付加した液体用紙容器の製造方法を提供することができる。
【０００９】
加えて、本発明の請求項３に記載の液体用紙容器の製造方法は、前述したサイドシールと通称する工程で、図３Ｂに示す紙積層材料の切断端部が内容物に接していない角筒状に製箱した状態で、シーラント層５の内容物に接する側に、無機蒸着層２を、底面板群４１  ，４２  ，４３  ，４４と上面板群２１  ，２２  ，２３  ，２４との、熱融着する（  図１Ａに斜線で示す  ）部分を除いてパターン状に設けたことを特徴とする液体用紙容器の製造方法である。
【００１０】
本発明の液体用紙容器の製造方法においては、前述したサイドシールと通称する工程で、図３Ｂに示す紙積層材料の切断端部が内容物に接していない角筒状に製箱した状態で、シーラント層５の内容物に接する側に、シリカやアルミナなどの無機蒸着層２を、底面板群４１  ，４２  ，４３  ，４４と上面板群２１  ，２２  ，２３  ，２４との、熱融着する部分を除いてパターン状に設けたことによって、シリカやアルミナなどの無機蒸着層２を設けていない熱融着する部分の、熱融着性が優れた低密度ポリエチレンなどのシーラント層５  ，５どうしの熱融着が完全で安定しているために、前述したボトムシール  ，トップシールと通称する工程で、底面板群４１  ，４２  ，４３  ，４４を平坦に折込んで、また上面板群２１  ，２２  ，２３  ，２４を平坦に又は切妻屋根状に折込んで、それぞれのシーラント層５  ，５どうしを、無理に比較的強く熱融着しなくても、上面が平坦な又は上面が切妻屋根形の直方体状に製箱することができる。
【００１１】
また、本発明の請求項４に記載の液体用紙容器の製造方法は、図１  ，図２に示すように、少なくとも紙材料層３とバリヤー層４とシーラント層５とを積層した紙積層材料製の、上面板群２１  ，２２  ，２３  ，２４と側面板３１  ，３２  ，３３  ，３４と熱融着板３５と底面板群４１  ，４２  ，４３  ，４４とを、それぞれ折り目線又は谷折り線を介して連設して成る、図３Ａ  ，図４Ａに示す上面が平坦な又は上面が切妻屋根形の直方体状の、紙積層材料の切断端部が内容物に接していない液体用紙容器において、
全ての折り目線を山折りして、また全ての谷折り線を谷折りして、側面板３１  ，３２  ，３３  ，３４と熱融着板３５とを筒状に形成して、熱融着板３５の谷折りした右側部分と側面板３１の左端部分とのシーラント層５  ，５どうしを熱融着（  サイドシールと通称する  ）して、また底面板群４１  ，４２  ，４３  ，４４を平坦に折込んで、それぞれのシーラント層５  ，５どうしを熱融着（  ボトムシールと通称する  ）して、図４Ｂに示す紙積層材料の切断端部が内容物に接していない有底角筒状に製箱した状態で、シーラント層５の内容物に接する側に、無機蒸着層２を設けた後に、上面板群２１  ，２２  ，２３  ，２４を平坦に又は切妻屋根状に折込んで、それぞれのシーラント層５  ，５どうしを熱融着（  トップシールと通称する  ）して、上面が平坦な又は上面が切妻屋根形の直方体状に製箱したことを特徴とする液体用紙容器の製造方法である。
【００１２】
本発明の液体用紙容器の製造方法においては、ジュースや調味料や酒類などを収容する、上面が平坦な又は上面が切妻屋根形の直方体状の、前述した従来と同様の液体用紙容器において、前述したサイドシール  ，ボトムシールと通称する工程で、図４Ｂに示す紙積層材料の切断端部が内容物に接していない有底角筒状に製箱した状態で、シーラント層５の内容物に接する側に、シリカやアルミナなどの無機蒸着層２を設けた後に、前述したトップシールと通称する工程で、上面が平坦な又は上面が切妻屋根形の直方体状に製箱したことによって、
液漏れなどを起し易い液体用紙容器のサイドシール  ，ボトムシール部分の、シリカやアルミナなどの無機蒸着層２を設ける前の、熱融着板３５の谷折りした右側部分と側面板３１の左端部分との、また平坦に折込んだ底面板群４１  ，４２  ，４３  ，４４の、熱融着性が優れた低密度ポリエチレンなどのシーラント層５  ，５どうしの熱融着が完全で安定しているために、熱融着不良によるサイドシール  ，ボトムシール部分の液漏れなどを防止することができる、加えて側面板３１  ，３２  ，３３  ，３４と熱融着板３５とを筒状に形成する作業で、また底面板群４１  ，４２  ，４３  ，４４を平坦に折込む作業で、低吸着性であってガスバリヤー性などが優れたシリカやアルミナなどの無機蒸着層２が、機械的に擦れて剥離脱落する恐れがない、しかも液体用紙容器のトップシール部分の、シリカやアルミナなどの無機蒸着層２を設けたシーラント層５  ，５どうしを、比較的強く熱融着することによって、この無機蒸着層２を破壊して、それぞれのシーラント層５  ，５どうしを完全に熱融着して、上面が平坦な又は上面が切妻屋根形の直方体状に製箱することができる、前述した内容物の味覚を長期に保持する機能を付加した液体用紙容器の製造方法を提供することができる。
【００１３】
また加えて、本発明の請求項５に記載の液体用紙容器の製造方法は、前述したサイドシール  ，ボトムシールと通称する工程で、図４Ｂに示す紙積層材料の切断端部が内容物に接していない有底角筒状に製箱した状態で、シーラント層５の内容物に接する側に、無機蒸着層２を、上面板群２１  ，２２  ，２３  ，２４の、熱融着する（  図２Ａに斜線で示す  ）部分を除いてパターン状に設けたことを特徴とする液体用紙容器の製造方法である。
【００１４】
本発明の液体用紙容器の製造方法においては、前述したサイドシール  ，ボトムシールと通称する工程で、図４Ｂに示す紙積層材料の切断端部が内容物に接していない有底角筒状に製箱した状態で、シーラント層５の内容物に接する側に、シリカやアルミナなどの無機蒸着層２を、上面板群２１  ，２２  ，２３  ，２４の、熱融着する部分を除いてパターン状に設けたことによって、シリカやアルミナなどの無機蒸着層２を設けていない熱融着する部分の、熱融着性が優れた低密度ポリエチレンなどのシーラント層５  ，５どうしの熱融着が完全で安定しているために、前述したトップシールと通称する工程で、上面板群２１  ，２２  ，２３  ，２４を平坦に又は切妻屋根状に折込んで、それぞれのシーラント層５  ，５どうしを、無理に比較的強く熱融着しなくても、上面が平坦な又は上面が切妻屋根形の直方体状に製箱することができる。
【００１５】
【発明の実施の形態】
本発明の液体用紙容器及び液体用紙容器の製造方法における、シーラント層５の内容物に接する側に、シリカやアルミナなどの無機蒸着層２を設ける方法については、例えば図７に示すような、プラズマＣＶＤ法と通称する蒸着装置を用いて、１０Ｐａ程度に減圧した真空容器ａ内に、角筒状（  又は有底角筒状  ）の液体用紙容器ｂを密着させて装着して、この液体用紙容器ｂの内部に位置させたガス供給管ｃから、適宜の有機酸化ケイ素ガス（  ヘキサメチルジシロキサン（ＣＨ３）３−Ｓｉ−Ｏ−Ｓｉ−（ＣＨ３）３）などを、酸素ガスなどとともに供給しながら、外部電極ａと内部電極ｃとの間に高周波電圧を加えることによって、図３Ｂに示す紙積層材料の切断端部が内容物に接していない角筒状に製箱した状態で、また図４Ｂに示す紙積層材料の切断端部が内容物に接していない有底角筒状に製箱した状態で、装着した液体用紙容器ｂのシーラント層５の内容物に接する側に、低吸着性であってガスバリヤー性などが優れたシリカやアルミナなどの、厚さが１０〜８０ｎｍの無機蒸着層２を設けることができる。
【００１６】
また、本発明の液体用紙容器の製造方法における、シーラント層５の内容物に接する側に、シリカやアルミナなどの無機蒸着層２を、熱融着する部分を除いてパターン状に設ける方法については、少なくとも紙材料層３とバリヤー層４とシーラント層５とを積層した紙積層材料の、シーラント層５の内容物に接する側の熱融着する（  図１Ａ  ，図２Ａに斜線で示す  ）部分に、後述する実施例に示す水溶性などの剥離ニス層を、予め印刷するなどして設けて、図３Ｂに示す紙積層材料の切断端部が内容物に接していない角筒状に製箱した状態で、また図４Ｂに示す紙積層材料の切断端部が内容物に接していない有底角筒状に製箱した状態で、前述した図７に示す蒸着装置を用いて、シーラント層５の内容物に接する側の全面に、シリカやアルミナなどの無機蒸着層２を設けた後に、熱融着する部分に設けた水溶性などの剥離ニス層を、この無機蒸着層２とともに水洗するなどして除去することによって、低吸着性であってガスバリヤー性などが優れたシリカやアルミナなどの無機蒸着層２を、熱融着する部分を除いてパターン状に設けることができる。
【００１７】
加えて、本発明の液体用紙容器の製造方法における、シーラント層５の内容物に接する側に、シリカやアルミナなどの無機蒸着層２を、熱融着する部分を除いてパターン状に設ける他の方法については、前述した水溶性などの剥離ニス層を設けないで、図３Ｂに示す紙積層材料の切断端部が内容物に接していない角筒状に製箱した状態で、また図４Ｂに示す紙積層材料の切断端部が内容物に接していない有底角筒状に製箱した状態で、前述した図７に示す蒸着装置を用いて、真空容器ａ内に密着させて装着した液体用紙容器ｂの、シーラント層５の内容物に接する側の熱融着する（  図１Ａ  ，図２Ａに斜線で示す  ）部分を、単に図示していない金属製などの治具で覆うことによって、低吸着性であってガスバリヤー性などが優れたシリカやアルミナなどの無機蒸着層２を、熱融着する部分を除いてパターン状に設けることができる。
【００１８】
なお、本発明の液体用紙容器及び液体用紙容器の製造方法においては、後述する液体用紙容器の製箱充填工程で、ジュースや調味料や酒類などを収容しながら、図３Ａ  ，図４Ａに示す上面が平坦な又は上面が切妻屋根形の直方体状の、紙積層材料の切断端部が内容物に接していない液体用紙容器を製箱し易いように、少なくとも紙材料層３とバリヤー層４とシーラント層５とを積層した紙積層材料の、紙材料層３の外面側に、低密度ポリエチレンなどの表面樹脂層８を設けて、耐水性や熱融着性などを付与することが望ましい。
【００１９】
【実施例】
＜実施例１＞
図１Ａは、本発明の実施例１における、液体用紙容器のブランクの平面図であって、図１Ｂは、無機蒸着層２を設けた液体用紙容器の断面説明図である。
また図３Ａは、本発明の実施例１における、液体用紙容器の斜視図であって、図３Ｂは、途中角筒状に製箱した液体用紙容器の斜視図である。
【００２０】
すなわち、上面板群２１  ，２２  ，２３  ，２４と側面板３１  ，３２  ，３３  ，３４と熱融着板３５と底面板群４１  ，４２  ，４３  ，４４とを、それぞれ折り目線又は谷折り線を介して連設して成る、縦と横と高さとが８５×８５×１８０ｍｍの、図３Ａに示す上面が平坦な直方体状の液体用紙容器であって、
外面側に耐水性や熱融着性などが優れた低密度ポリエチレン２５μｍの表面樹脂層８を設けて、その表面に美麗な印刷をした板紙４００ｇ／ｍ２の紙材料層３と、各種バリヤー性が優れたシリカ蒸着４０ｎｍ付のポリエチレンテレフタレート（ＰＥＴ）フィルム１２μｍのバリヤー層４と、熱融着性が優れた低密度ポリエチレン６０μｍのシーラント層５とを、熱溶融した低密度ポリエチレン３０μｍの接着性樹脂層６と通常のウレタン系の接着剤層７とを介して積層した後に、底面板群４１  ，４２  ，４３  ，４４と上面板群２１  ，２２  ，２３  ，２４との、シーラント層５の内容物に接する側の熱融着する（  図１Ａに斜線で示す  ）部分に、図示していない通常の水溶性の剥離ニス層を印刷した紙積層材料を用いて、通常の打抜型を用いた打抜工程で、図１Ａに示す無駄が少ない長方形状の液体用紙容器のブランクを作製した。
【００２１】
次に、図１Ａに示す液体用紙容器のブランクの、全ての符号がない１点鎖線で示す折り目線を山折りして、また全ての符号がない破線で示す谷折り線を谷折りして、側面板３１  ，３２  ，３３  ，３４と熱融着板３５とを筒状に形成して、熱融着板３５の谷折りした右側部分と側面板３１の左端部分とのシーラント層５  ，５どうしを熱融着（  サイドシールと通称する  ）して、図３Ｂに示す紙積層材料の切断端部が内容物に接していない角筒状に製箱した状態で、前述した図７に示すプラズマＣＶＤ法と通称する蒸着装置を用いて、シーラント層５の内容物に接する側の全面に、低吸着性であってガスバリヤー性などが優れたシリカ（ＳｉＯＸ）４０ｎｍの無機蒸着層２を設けて、底面板群４１  ，４２  ，４３  ，４４と上面板群２１  ，２２  ，２３  ，２４との、シーラント層５の内容物に接する側の熱融着する部分に印刷した水溶性の剥離ニス層を、この無機蒸着層２とともに水洗して除去した（  無機蒸着層２を熱融着する部分を除いてパターン状に設けた  ）後に、
図示していない口栓体を上面板２３に熱融着して取付けて、通常の液体用紙容器の製箱充填工程で、１２００ｍｌの液体調味料を収容しながら、底面板群４１  ，４２  ，４３  ，４４を平坦に折込んで、また上面板群２１  ，２２  ，２３  ，２４を平坦に折込んで、それぞれのシーラント層５  ，５どうしを熱融着（  ボトムシール  ，トップシールと通称する  ）して、図３Ａに示す上面が平坦な直方体状の、紙積層材料の切断端部が内容物に接していない液体用紙容器を作製した。
【００２２】
本発明の実施例１の液体用紙容器においては、図１Ｂに示すように、シーラント層５の内容物に接する側に、低吸着性であってガスバリヤー性などが優れたシリカ（ＳｉＯＸ）４０ｎｍの無機蒸着層２を設けたことによって、このシーラント層５に内容物の香気成分などが吸着する恐れがない、またシーラント層５の樹脂臭などが内容物に移行する恐れがない、液体調味料の味覚を長期に保持する機能を付加した液体用紙容器であって、
前述したサイドシールと通称する工程で、紙積層材料の切断端部が内容物に接していない角筒状に製箱した状態で、シーラント層５の内容物に接する側に、シリカ（ＳｉＯＸ）４０ｎｍの無機蒸着層２を、熱融着する部分を除いてパターン状に設けた後に、前述したボトムシール  ，トップシールと通称する工程で、上面が平坦な直方体状に製箱したことによって、最も液漏れなどを起し易い液体用紙容器のサイドシール部分の、熱融着不良による液漏れなどを防止することができる、加えて側面板３１  ，３２  ，３３  ，３４と熱融着板３５とを筒状に形成する作業で、このシリカ（ＳｉＯＸ）４０ｎｍの無機蒸着層２が剥離脱落する恐れがない、しかもボトムシール  ，トップシール部分の、シーラント層５  ，５どうしの熱融着が完全で安定した、図３Ａに示す上面が平坦な直方体状の、紙積層材料の切断端部が内容物に接していない液体用紙容器を得ることができた。
【００２３】
＜実施例２＞
図２Ａは、本発明の実施例２における、液体用紙容器のブランクの平面図であって、図２Ｂは、無機蒸着層２を設けた液体用紙容器の断面説明図である。
また図４Ａは、本発明の実施例２における、液体用紙容器の斜視図であって、図４Ｂは、途中有底角筒状に製箱した液体用紙容器の斜視図である。
【００２４】
すなわち、上面板群２１  ，２２  ，２３  ，２４と側面板３１  ，３２  ，３３  ，３４と熱融着板３５と底面板群４１  ，４２  ，４３  ，４４とを、それぞれ折り目線又は谷折り線を介して連設して成る、収容部の縦と横と高さとが８５×８５×１８０ｍｍの、図４Ａに示す上面が切妻屋根形の直方体状の液体用紙容器であって、
外面側に耐水性や熱融着性などが優れた低密度ポリエチレン２５μｍの表面樹脂層８を設けて、その表面に美麗な印刷をした板紙４００ｇ／ｍ２の紙材料層３と、各種バリヤー性が優れたアルミニウム箔７μｍのバリヤー層４と、引張り強度などが優れた延伸ポリエチレンテレフタレート（ＰＥＴ）フィルム１２μｍの樹脂フィルム層９と、熱融着性が優れた低密度ポリエチレン６０μｍのシーラント層５とを、熱溶融したエチレン−メタアクリル酸共重合体（ＥＭＡＡ）２５μｍの接着性樹脂層６と通常のウレタン系の接着剤層７  ，７とを介して積層した紙積層材料を用いて、通常の打抜型を用いた打抜工程で、図２Ａに示す無駄が少ない長方形状の液体用紙容器のブランクを作製した。
【００２５】
次に、実施例１と同様に、図２Ａに示す液体用紙容器のブランクの、全ての符号がない１点鎖線で示す折り目線を山折りして、また全ての符号がない破線で示す谷折り線を谷折りして、側面板３１  ，３２  ，３３  ，３４と熱融着板３５とを筒状に形成して、熱融着板３５の谷折りした右側部分と側面板３１の左端部分とのシーラント層５  ，５どうしを熱融着（  サイドシールと通称する  ）して、実施例１に加えて、底面板群４１  ，４２  ，４３  ，４４を平坦に折込んで、それぞれのシーラント層５  ，５どうしを熱融着（  ボトムシールと通称する  ）して、図４Ｂに示す紙積層材料の切断端部が内容物に接していない有底角筒状に製箱した状態で、前述した図７に示すプラズマＣＶＤ法と通称する蒸着装置を用いて、真空容器ａ内に密着させて装着した液体用紙容器ｂの上面板群２１  ，２２  ，２３  ，２４の、シーラント層５の内容物に接する側の熱融着する（  図２Ａに斜線で示す  ）部分を、図示していない金属製の治具で覆って、低吸着性であってガスバリヤー性などが優れたアルミナ（Ａｌ２ＯＸ）２０ｎｍの無機蒸着層２を、熱融着する部分を除いてパターン状に設けた後に、
図示していない口栓体を上面板２３に熱融着して取付けて、通常の液体用紙容器の製箱充填工程で、１２００ｍｌのアルコール飲料を収容しながら、上面板群２１  ，２２  ，２３  ，２４を切妻屋根状に折込んで、それぞれのシーラント層５  ，５どうしを熱融着（  トップシールと通称する  ）して、図４Ａに示す上面が切妻屋根形の直方体状の、紙積層材料の切断端部が内容物に接していない液体用紙容器を作製した。
【００２６】
本発明の実施例２の液体用紙容器においては、図２Ｂに示すように、シーラント層５の内容物に接する側に、低吸着性であってガスバリヤー性などが優れたアルミナ（Ａｌ２ＯＸ）２０ｎｍの無機蒸着層２を設けたことによって、このシーラント層５に内容物の香気成分などが吸着する恐れがない、またシーラント層５の樹脂臭などが内容物に移行する恐れがない、アルコール飲料の味覚を長期に保持する機能を付加した液体用紙容器であって、
前述したサイドシール  ，ボトムシールと通称する工程で、紙積層材料の切断端部が内容物に接していない有底角筒状に製箱した状態で、シーラント層５の内容物に接する側に、アルミナ（Ａｌ２ＯＸ）２０ｎｍの無機蒸着層２を、熱融着する部分を除いてパターン状に設けた後に、前述したトップシールと通称する工程で、上面が切妻屋根形の直方体状に製箱したことによって、液漏れなどを起し易い液体用紙容器のサイドシール  ，ボトムシール部分の、熱融着不良による液漏れなどを防止することができる、加えて側面板３１  ，３２  ，３３  ，３４と熱融着板３５とを筒状に形成する作業で、また底面板群４１  ，４２  ，４３  ，４４を平坦に折込む作業で、このアルミナ（Ａｌ２ＯＸ）２０ｎｍの無機蒸着層２が剥離脱落する恐れがない、しかもトップシール部分の、シーラント層５  ，５どうしの熱融着が完全で安定した、図４Ａに示す上面が切妻屋根形の直方体状の、紙積層材料の切断端部が内容物に接していない液体用紙容器を得ることができた。
【００２７】
【発明の効果】
以上、実施例ほかに示すとおり、本発明の液体用紙容器及び液体用紙容器の製造方法においては、ジュースや調味料や酒類などを収容する、上面が平坦な又は上面が切妻屋根形の直方体状の、紙積層材料の切断端部が内容物に接していない液体用紙容器において、図１Ｂ  ，図２Ｂに示すように、シーラント層５の内容物に接する側に、低吸着性であってガスバリヤー性などが優れたシリカやアルミナなどの無機蒸着層２を設けたことによって、このシーラント層５に内容物の香気成分などが吸着する恐れがない、またシーラント層５の樹脂臭などが内容物に移行する恐れがない、内容物の味覚を長期に保持する機能を付加した液体用紙容器及び液体用紙容器の製造方法を提供することができる。
【図面の簡単な説明】
【図１】本発明の実施例１における、図１Ａは、液体用紙容器のブランクの平面図であって、図１Ｂは、無機蒸着層２を設けた液体用紙容器の断面説明図である。
【図２】本発明の実施例２における、図２Ａは、液体用紙容器のブランクの平面図であって、図２Ｂは、無機蒸着層２を設けた液体用紙容器の断面説明図である。
【図３】本発明の実施例１における、図３Ａは、液体用紙容器の斜視図であって、図３Ｂは、途中角筒状に製箱した液体用紙容器の斜視図である。
【図４】本発明の実施例２における、図４Ａは、液体用紙容器の斜視図であって、図４Ｂは、途中有底角筒状に製箱した液体用紙容器の斜視図である。
【図５】図５Ａ  ，Ｂは、従来の液体用紙容器のブランクの平面図  ，断面説明図である。
【図６】図６Ａ  ，Ｂは、従来の液体用紙容器の斜視図である。
【図７】プラズマＣＶＤ法と通称する蒸着装置の断面説明図である。
【符号の説明】
２                        …無機蒸着層
３                        …紙材料層
４                        …バリヤー層
５                      …シーラント層
６                        …接着剤層  ，接着性樹脂層
７                        …ウレタン系の接着剤層
８                        …表面樹脂層
９                        …樹脂フィルム層
２１  ，２２  ，２３  ，２４  …上面板群
３１  ，３２  ，３３  ，３４  …側面板
３５                    …熱融着板
４１  ，４２  ，４３  ，４４  …底面板群
ａ                      …外部電極兼真空容器
ｂ                      …液体用紙容器
ｃ                      …内部電極兼ガス供給管
【図１】
2004284666.tif 000003
【図２】
2004284666.tif 000004
【図３】
2004284666.tif 000005
【図４】
2004284666.tif 000006
【図５】
2004284666.tif 000007
【図６】
2004284666.tif 000008
【図７】
2004284666.tif 000009